(57)【要約】【課題】  安全で簡易に脱臭触媒の再生を行える脱臭装置を得る。【解決手段】  通過する空気に含まれる臭気物質を酸化分解する脱臭触媒３を備え、電動機６で送風機４を駆動して空気を脱臭触媒３に通過させ、電動機６と脱臭触媒３とを熱伝達部材９で熱的に接続する。【選択図】  図１
2008023030.tif 000002
【特許請求の範囲】
【請求項１】
通過する空気に含まれる臭気物質を酸化分解する脱臭触媒、
前記空気を前記脱臭触媒に通過させる送風機、
前記送風機を駆動する電動機、
前記電動機と前記脱臭触媒とを熱的に接続する熱伝達部材
を備えた脱臭装置。
【請求項２】
熱伝達装置はヒートパイプである請求項１に記載の脱臭装置。
【請求項３】
脱臭触媒の形状はハニカム形状、粒子形状またはコルゲート形状のいずれか１つである請求項１に記載の脱臭装置。
【請求項４】
脱臭触媒を保持し、高伝熱性の金属製で熱伝達装置に接続した支持部材を備えた請求項１に記載の脱臭装置。
【請求項５】
支持部材は銅、アルミ、鉄のいずれか１つである請求項４に記載の脱臭装置。
【請求項６】
電動機は、通常運転時よりも脱臭触媒の再生時に駆動力を小さくし、前記通常運転時よりも前記再生時に発熱量を大きくすることを特徴とする請求項１に記載の脱臭装置。
【請求項７】
電動機は脱臭運転用ノッチおよび脱臭触媒の再生運転用ノッチを備え、
通常運転を指示された場合には電源を前記脱臭運転用ノッチに接続し、再生運転を指示された場合には前記電源を前記再生運転用ノッチに接続する制御装置を備えた請求項６に記載の脱臭装置。
【請求項８】
制御装置は再生運転を開始してから所定の時間経過後に電源を脱臭運転用ノッチに接続する請求項７に記載の脱臭装置。
【請求項９】
送風機は脱臭触媒を通過した室内からの空気を室外に連通する排気ダクトに排出する請求項１に記載の脱臭装置。
【請求項１０】
送風機は室外に連通する給気ダクトからの室外の空気を吸い込んで脱臭触媒を通過させた後に室内に供給する請求項１に記載の脱臭装置。
【発明の詳細な説明】
【技術分野】
【０００１】
この発明は、住宅、事務所、工場等に設置され、空気中に存在する臭気物質を吸着・分解する脱臭装置に関するものである。
【背景技術】
【０００２】
近年、空気中に存在する臭気物質を除去する脱臭装置には、臭気物質を一度吸着した後に触媒作用によって臭気物質を分解する脱臭触媒が好適に用いられている。この背景は以下の通りである。脱臭触媒の使用以前に吸着材として多用されていた活性炭は、吸着容量が飽和すると性能を回復させることが困難であるために寿命が短かった。一方、脱臭触媒は、活性炭の短寿命という欠点を補うことができるため、近年多用されるようになった。
【０００３】
なお、脱臭触媒については、所定時間脱臭運転をした後、一度吸着した臭気物質を触媒活性により分解して脱臭性能を回復させるために、脱臭触媒を加熱して加温する必要がある。
具体的には、通気可能な容器に吸着剤および酸化触媒を収容するとともに電気ヒータを酸化触媒に埋設し、電気ヒータで通電加熱して吸着剤および酸化触媒を再生する方法が挙げられる（例えば特許文献１）。
また、脱臭触媒とヒータとを一体化し、電気ヒータで通電加熱して脱臭触媒を再生する方法なども挙げられる（例えば特許文献２、特許文献３）。
【０００４】
【特許文献１】特開平９−１８７６２４（第３頁、図１）
【特許文献２】特開平６−１８０１２８（第２頁、図２）
【特許文献３】特許第３１４１６５８号（第３−４頁、図２）
【０００５】
しかし、電気ヒータを用いる場合、電気ヒータのための電源が新たに必要とされる。それに伴い、電気ヒータの加温温度を適正に制御する手段も必要とされる。また、電気ヒータや制御手段の故障などにより発生する異常加熱の発生等も考慮して、安全回路等の保護手段が必要となる。さらに、安全回路等の故障時を想定して、ヒータ設置場所周辺部に難燃対策を施す必要も生じる。
このように、電気ヒータの設置に付随して制御手段や保護手段等が必要となり、脱臭装置が複雑化または大型化するという問題があった。
【発明の開示】
【発明が解決しようとする課題】
【０００６】
この発明は、上記のような課題を解決するためになされたもので、安全で簡易に脱臭触媒の再生を行える脱臭装置を得ることを目的とする。
【課題を解決するための手段】
【０００７】
この発明に係る脱臭装置は、通過する空気に含まれる臭気物質を酸化分解する脱臭触媒を備え、電動機で送風機を駆動して空気を脱臭触媒に通過させ、電動機と脱臭触媒とを熱伝達部材で熱的に接続したものである。
【発明の効果】
【０００８】
この発明によれば、電動機と脱臭触媒が熱的に接続しているので、脱臭触媒に伝わった電動機の熱を脱臭触媒の再生に用いることができ、新たな電源を必要とせずに安全で簡易に脱臭触媒の再生が行える脱臭装置を得ることができる。
【発明を実施するための最良の形態】
【０００９】
実施の形態１．
図１は、この発明の実施の形態１に係る脱臭装置の側面図である。図１において、紙面左右方向をＸ方向、紙面に垂直な方向をＹ方向、紙面上下方向をＺ方向とする。
脱臭装置は、脱臭装置を形成して空気の流入口１２および流出口１３を備えた箱体１、箱体１に流入した空気ａ１を脱臭触媒３に導き、脱臭触媒３を通過した空気ａ２およびａ３を送風機４を介して箱体１の外部に導く風路形成板２、風路形成板２により形成された通風経路内で且つ流入口１２と送風機４との間に設置された、通過する空気に含まれる臭気物質を酸化分解する脱臭触媒３、脱臭触媒３を通過した空気を箱体１の外部に排出する、空気を脱臭触媒３に通過させるための送風機４、送風機４で発生した風を脱臭装置外へ排出させるファンケーシング５、送風機４に直結して送風機４を駆動する電動機６、電動機６に接続した制御回路７、制御回路７に接続した運転スイッチ８、密着シート１１ａおよび１１ｂで電動機６に固着された、電動機４と脱臭触媒３とを熱的に接続する熱伝達部材であるヒートパイプ９、およびヒートパイプ９が密着シート１１ｂで固着された支持部材１０を備えている。
また、制御回路７には運転スイッチ８が接続されている。運転スイッチ８はユーザが通常運転または脱臭触媒の再生運転のいずれかを脱臭装置に指令するために用いられるもので、ユーザが運転スイッチ８により選択した通常運転または再生運転の指令は、制御回路７に発信される。
また、ヒートパイプ９は電動機６と熱的に接続しており、電動機６で発生した熱を支持部材１０に伝達する。
【００１０】
図２は、実施の形態１に係る脱臭触媒３および支持部材１０の斜視図である。なお、図１に示す脱臭装置と同一の構成には同一の符号を付し、その説明は省略する。
支持部材１０は、銅でできており、ヒートパイプ９を介して伝わった電動機６の熱を効率良く脱臭触媒３に伝達する。また、密着シート１１ａは、ヒートパイプ９を電動機６に固着するとともに、電動機６からヒートパイプ９への熱の伝達を促進し、密着シート１１ｂも密着シート１１ａと同様に、ヒートパイプ９を支持部材１０に固着するとともに、ヒートパイプ９から電動機６への熱の伝達を促進する。
また、支持部材１０は、脱臭触媒３を取り囲んで支持しており、支持部材１０と脱臭触媒３とは熱的に接続している。支持部材１０の枠部１０ａにおいてヒートパイプ９が取り付けられた位置に伝わった電動機６の熱は、支持部材１０の枠部１０ａを伝わるとともに、脱臭触媒３に伝わる。
【００１１】
脱臭触媒３はハニカム状で、Ｙ−Ｚ平面である風路断面において複数に分割されている。また、支持部材１０も、風路断面において仕切部分１０ｂおよび１０ｃにより複数の空間に分割されている。分割された脱臭触媒３は、それぞれが分割された各空間に設置され、Ｙ−Ｚ平面における周囲を支持部材１０で囲まれることになる。枠部分１０ａの熱は、仕切部分１０ｂおよび１０ｃにも伝わり、仕切部分１０ｂおよび１０ｃからも脱臭装置３に伝わるので、分割して保持された脱臭触媒３は、分割されずにひとかたまりの脱臭触媒として支持部材１０に保持されるよりも効率良く加熱される。支持部材１０内の空間および脱臭触媒３の分割数は、伝熱の効果を勘案して適宜設定できる。
なお、仕切部分１０ａ、１０ｂおよび１０ｃは、それぞれの間で互いに熱を伝達するのであれば、一体化せずに分離して製造しても良い。
【００１２】
支持部材１０はＸ方向に空気が通り抜けられるように筒状になっており、流入口１２から流入した空気はＸ方向に流れて支持部材１０に保持された脱臭触媒３を通過する。
【００１３】
図３は、実施の形態１に係る脱臭装置のうち、電動機６、制御回路７および電源１４の接続を説明するための図である。
図３において、点線で囲まれた部分は電動機６の巻線部分に関連する構成要素である。電動機６は、主コイル６１、第１の補助コイル６２、第２の補助コイル６３、コンデンサ６４、脱臭運転用端子６５、再生運転用端子６６および接地用端子６７を備えている。脱臭運転用端子６５および再生運転用端子６６は制御回路７に接続し、設置用端子６７は設置されている。電動機６は、制御回路７により脱臭運転ノッチまたは脱臭触媒の再生運転ノッチを行う。
【００１４】
制御回路７は脱臭運転用端子６５および再生運転用端子６６に接続するとともに電源１４に接続しており、運転スイッチ８から受信した運転指令に基づき、脱臭運転用端子６５または再生運転用端子６６のいずれか一方の端子と電源１４とを接続する。
電源１４が脱臭運転用端子６５に接続された場合と電源１４が再生運転用端子６６に接続された場合とでは、主コイル６１の磁界の大きさが異なり、電源１４が脱臭運転用端子６５に接続された場合に比べて、電源１４が再生運転用端子６６に接続された場合は、電流が小さくなる。
【００１５】
次に、脱臭装置の第１の動作である通常運転時の動作について説明する。
ユーザが運転スイッチ８により脱臭運転を選択すると、脱臭運転指示信号が制御回路７に送信され、制御回路７は電源１４を脱臭運転用端子６５に接続する。
電動機６は、脱臭運転用端子６５に電源１４が接続され、送風機４を駆動する。送風機４が駆動することにより、流入口１２から箱体１の外部の空気が箱体１に流入し、支持部材１０で保持された脱臭触媒３を通過した後、ファンケーシング５に入り、送風機４を介して流出口１３から箱体１の外部に排出される。
【００１６】
脱臭触媒３は、空気ａ１が脱臭触媒３を通過する際に空気ａ１中に含まれる臭気成分を吸着する。臭気成分を吸着された被処理空気ａ２およびａ３は、ファンケーシング５を通じて箱体１の外へ排出される。このように、脱臭装置の外部の空気は、箱体１内部を通過することにより、脱臭される。
【００１７】
また、電動機６は駆動すると発熱し、この熱は、温度の低い支持部材１０に向かってヒートパイプ９を伝わる。支持部材１０に伝わった熱は、支持部材１０に保持されながら接触している脱臭触媒３に伝わる。
電動機６は、脱臭運転時の脱臭触媒３の温度が脱臭触媒３が吸着性能を適切に発揮できる範囲内になるよう、例えば送風機４の処理風量はより大きく、かつ発熱量はより小さくなるよう制御される。処理風量と発熱量とを勘案した電動機の動作は、電動機６の巻線の設定により実現できる。
【００１８】
次に、脱臭装置の第２の動作である脱臭触媒３の再生運転時の動作について説明する。
ユーザが運転スイッチ８により再生運転を選択すると、再生運転指示信号が制御回路７に送信され、制御回路７は電源１４を再生運転用端子６６に接続する。
電動機６は図３において再生運転用端子６６に電源１４が接続される。電動機６が駆動すると熱が発生し、ヒートパイプ９および支持部材１０を介して脱臭触媒３に伝わる。脱臭触媒３は加熱されることにより、吸着した臭気成分を分解して無臭化し、吸着性能を再生することができる。分解された臭気成分は、送風機４に吸引され排出される空気とともに箱体１の外部に排出される。
【００１９】
なお、送風機４が駆動することにより、通常運転時と同様、空気が脱臭触媒３を通過するが、電動機６は再生時に適した発熱量と処理風量とを実現するよう制御される。例えば、処理風量は脱臭運転時の処理風量よりも小さく、電動機６から伝わった熱により脱臭触媒３が十分再生できるような発熱量を確保できるよう、電動機６の巻線が設定される。
これにより、脱臭触媒３において、ヒートパイプ９から伝わる熱と通気により奪われる熱との差が大きくなり、再生運転時の脱臭触媒３の温度は脱臭運転時よりも大きくなる。結果として、脱臭触媒３は高い温度を維持することができ、その触媒作用により効果的に吸着した臭気成分を分解、無臭化し、吸着性能を再生することができる。
【００２０】
また、制御回路７は、脱臭装置が所定の時間だけ再生運転を行うよう、電動機６を制御する。
図４は、実施の形態１における制御回路７の動作を示すフロー図である。
ステップＳＴ４０１で脱臭運転が開始された後、ステップＳＴ４０２で再生運転開始指令の受信を待つ。ステップＳＴ４０２にて運転スイッチ８から再生運転指令を受信すると、ステップＳＴ４０３にて再生運転を開始するとともに、ステップＳＴ４０４にて再生運転の運転時間を規定するタイマを起動する。ステップＳＴ４０５でタイマの満了を待ち、タイマ満了時、ステップＳＴ４０６にて再生運転を停止する。
【００２１】
ステップＳＴ４０３からステップＳＴ４０５の再生運転時、電動機６の発熱量が増し、脱臭触媒３の再生が促進される。また、ステップＳＴ４０６にて再生運転を終了するとともに、脱臭装置の動作を停止させると、電動機６も停止することになるため、発熱量は減少してやがてゼロになる。したがって、ヒートパイプ９に伝わる熱も減少し、支持部材１０および脱臭触媒３に伝わる熱も減少するため、脱臭触媒の再生は自然的かつ安全に終了する。
なお、再生運転の終了後、脱臭装置の運転を停止する替わりに、通常運転に戻っても良い。この場合でも、電動機６は、発熱量は再生運転時より少なく、送風機４の処理風量はより大きくなるよう制御されているため、電動機６における発熱量は、再生時よりも減少する。これにより、脱臭触媒３に伝わる熱量は徐々に現象し、脱臭装置の再生運転は安全に終了する。
また、ステップＳＴ４０４で起動される再生運転用のタイマは、使用する脱臭触媒３の特性と、再生運転時に到達するの温度と、脱臭運転の時間との関係からあらかじめ好適に設定される。
【００２２】
以上のように、実施の形態１によれば、脱臭装置において使用される電動機６の熱量を利用して脱臭触媒３を加熱再生することができる。これにより、脱臭触媒３を再生するための特別な熱源が不要となり、コンパクトで簡易な再生機能付き脱臭装置を得ることができる。
【００２３】
また、この脱臭装置は、通常運転時と再生運転時において、処理風量および発熱量が異なるように制御されるため、通常運転時には脱臭処理が促進され、再生運転時には脱臭触媒３の加熱再生を効率良く処理することができる。
【００２４】
ところで、上記では電動機６で発生した熱をヒートパイプ９が支持部材１０に伝達する場合について説明したが、熱伝熱性の高い素材でできたものであれば、ヒートパイプ９の代わりに熱伝達部材として用いても良い。例えば、金属などである。
【００２５】
また、脱臭触媒３がハニカム状である場合を例として説明したが、脱臭触媒３の形状は、粒子形状またはコルゲート形状等、別の形状でも良い。また、支持部材１０の分割された空間ごとに異なる形状の脱臭触媒を設けても良い。例えば、図４のＺ方向に２分割された支持部材１０の内部空間のうち、上段にハニカム形状の脱臭触媒を、下段１１に粒子形状の脱臭触媒を設けるなどである。
【００２６】
また、高伝熱性の金属でできた支持部材１０は銅製であるものとして説明したが、高伝熱性の金属であれば、銅以外の金属、例えばアルミや鉄等でできた支持部材１０を用いても良い。
【００２７】
また、上記では制御回路７および運転スイッチ８を備えた脱臭装置について説明した。しかし、電動機６と支持部材１０および脱臭触媒３との間で伝達される熱量は常時同じで、かつ空気の脱臭および脱臭触媒３の再生に適するような送風機４の風量および脱臭触媒３の温度になるよう、電動機６の巻線を調整すれば、制御回路７および運転スイッチ８を省略することができる。この場合、さらに簡易な脱臭装置を得ることができる。
【００２８】
実施の形態２．
実施の形態２は、実施の形態１における脱臭装置を脱臭機能付き排気換気扇として利用したものである。
図５は、この発明の実施の形態２に係る排気換気扇の側面図であり、図１に示す実施の形態１に係る脱臭装置と同一の構成には同一の符号を付し、その説明は省略する。
実施の形態２に係る排気換気扇では、グリル１５が実施の形態１における流入口１２として機能する。グリル１５は部屋の天井部材１６に設置されており、排気換気扇の箱体１は天井裏に設置される。また、実施の形態１に流出口１３は、空気を室外に排気する排気ダクト１７にダクト締結部材１８によって取り付けられている。
また、支持部材１０および脱臭触媒３は、室内の空気が送風機４におよびファンケーシング５に吸い込まれた後に通過して排気ダクト１７に向かうよう、設置されている。
【００２９】
次に、排気換気扇における風の流れについて説明する。送風機４によりグリル１５から箱体１の内部に吸い込まれた室内の空気ａ５は、送風機４およびファンケーシング５に導かれて脱臭触媒３を通過し、このときに空気ａ５に含まれていた臭気成分が脱臭触媒３に吸着される。臭気成分が除去された処理空気ａ６およびａ７は、排気ダクト１７に導かれて室外に排出される。
【００３０】
なお、脱臭運転時および再生運転時の電動機６、制御回路７および運転スイッチ８の動作は実施の形態１と同じであり、電動機６から脱臭触媒３への熱伝達の様子も実施の形態１と同じであるが、排気機能に会わせ、電動機６や制御回路７等の設定、例えば電動機６の巻線、主コイル６１、第１の補助コイル６２、第２の補助コイル６３およびコンデンサ６４の配置等を変更しても良い。
【００３１】
以上のように、実施の形態２によれば、脱臭装置を排気換気扇として換気を必要とする部屋に設置し、室内の空気を脱臭触媒３に通過させてから室外に排出するので、室内で悪臭が発生した場合に、室内を換気するだけでなく室外に排気される空気の悪臭も除去でき、室外への影響が少ない脱臭機能付き排気換気扇を得ることができる。
【００３２】
実施の形態３．
実施の形態３は、実施の形態１における脱臭装置を脱臭機能付き給気換気扇として利用したものである。
図６は、この発明の実施の形態３に係る給気換気扇の側面図であり、図１に示す実施の形態１に係る脱臭装置、および図５に示す実施の形態２に係る排気換気扇と同一の構成には同一の符号を付してその説明は省略する。
実施の形態３に係る給気換気扇では、実施の形態１における流入口１２の部分が、ダクト締結部材１８によって室外の空気を供給する給気ダクト１９に取り付けられている。また、グリル１５が実施の形態１における流出口１３として機能する。
また、給気ダクト１９から流入した室外の空気ａ８は脱臭触媒３を通過し、臭気成分が吸着された処理空気ａ９として流路を曲げずに送風機４に吸い込まれ、送風機４およびファンケーシング５により導かれて、空気ａ１０およびａ１１としてグリル１５から室内に供給される。
【００３３】
なお、脱臭運転時および再生運転時の電動機６、制御回路７および運転スイッチ８の動作は実施の形態１と同じであり、電動機６から脱臭触媒３への熱伝達の様子も実施の形態１と同じであるが、排気機能に会わせ、電動機や制御回路７等の設定を変更しても良い。
【００３４】
以上のように、実施の形態３によれば、脱臭装置を給気換気扇として換気を必要とする部屋に設置し、室外の空気を脱臭触媒３に通過させてから室内に供給するので、室外の空気に悪臭が含まれる場合でも、悪臭が除去された空気を室内に供給する脱臭機能付き給気換気扇を得ることができる。
【００３５】
ところで、実施の形態２および３では、排気換気扇および給気換気扇を天井に備えた場合について説明したが、脱臭機能付き排気換気扇および脱臭機能付き給気換気扇を部屋の側面または床に備えても良い。また、部屋との一体型にする他、室外と連通したダクトに接続すれば換気扇として機能する分離型の装置であっても良い。
【図面の簡単な説明】
【００３６】
【図１】この発明の実施の形態１に係る脱臭装置の側面図である。
【図２】この発明の実施の形態１に係る脱臭触媒３および支持部材１０の斜視図である
【図３】この発明の実施の形態１における電動機６、制御回路７および電源１４の接続を説明するための図である。
【図４】この発明の実施の形態１における脱臭装置の動作フローである。
【図５】この発明の実施の形態２に係る脱臭機能付き排気換気扇の側面図である。
【図６】この発明の実施の形態３に係る脱臭機能付き給気換気扇の側面図である。
【符号の説明】
【００３７】
３  脱臭触媒  ４  送風機  ６  電動機  ９  熱伝達部材
【図１】
2008023030.tif 000003
【図２】
2008023030.tif 000004
【図３】
2008023030.tif 000005
【図４】
2008023030.tif 000006
【図５】
2008023030.tif 000007
【図６】
2008023030.tif 000008